(57)【特許請求の範囲】
【請求項１】
画像が記録されたフィルムを搬送し、前記画像の大きさに対応するサイズの開口部が形成されたマスクの前記開口部に前記画像を位置決めするフィルム画像位置決め方法であって、
グレー枠の開口率を１００％より大きくして前記マスクの配設位置を撮像し、撮像結果を表示手段に表示しながら、
前記表示手段に表示された前記画像の一端が前記開口部の一端と略同一の位置になるように前記フィルムの位置を調整し、
前記表示手段に表示された前記画像の他端が前記開口部の他端と略同一の位置になるように前記フィルムの位置を調整し、
前記画像の一端が前記開口部の一端と略同一の位置になるように調整したときのフィルムの第１の位置及び前記画像の他端が前記開口部の他端と略同一の位置になるように調整したときのフィルムの第２の位置に基づき、前記画像を前記開口部に位置決めする際の搬送量を求める
フィルム画像位置決め方法。
【請求項２】
前記フィルムに記録されている画像を検出した結果に基づいて前記画像を既知の位置に位置させ、
前記第１の位置及び前記第２の位置を、前記既知の位置からのフィルム搬送量として求める
請求項１記載のフィルム画像位置決め方法。
【請求項３】
前記表示手段に表示する画像はポジ画像である請求項１又は請求項２記載のフィルム画像位置決め方法。
【請求項４】
画像が記録されたフィルムを搬送する搬送手段と、
グレー枠の開口率を１００％より大きくして前記画像の大きさに対応するサイズの開口部が形成されたマスクの配設位置を撮像し、前記画像と前記開口部とを表示手段に表示する撮像表示制御手段と、
前記表示手段に表示された前記画像の一端が前記開口部の一端と略同一の位置になるように前記フィルムの位置の調整を指示する第１の指示情報と、前記表示手段に表示された前記画像の他端が前記開口部の他端と略同一の位置になるように前記フィルムの位置の調整を指示する第２の指示情報と、を入力するための入力手段と、
前記開口部における前記フィルムの位置を調整するように前記搬送手段を制御する調整手段と、
前記画像の一端が前記開口部の一端と略同一の位置になるように調整されたときのフィルムの位置及び前記画像の他端が前記開口部の他端と略同一の位置になるように調整されたときのフィルムの位置に基づき、前記搬送手段が前記画像を前記開口部に位置決めする際の搬送量を求める搬送量決定手段と、
を有するフィルムキャリア。
【発明の詳細な説明】
【０００１】
【発明の属する技術分野】
本発明はフィルム画像位置決め方法及びフィルムキャリアに係り、特に、写真フィルムを搬送してフィルム画像を所定位置に位置決めするフィルム画像位置決め方法及び該フィルム画像位置決め方法を適用可能なフィルムキャリアに関する。
【０００２】
【従来の技術】
従来、写真フィルムに記録された画像を感光材料に焼付ける写真焼付装置では、写真フィルムを搬送するフィルムキャリアが設けられており、焼付けすべき画像が記録された写真フィルムはフィルムキャリアにセットされる。フィルムキャリアは写真フィルムに記録された画像の位置を光学的に検出する画面検出センサを備えており、写真フィルムを搬送すると共に画面検出センサが画像の位置を検出してから写真フィルムを予め定められた一定量搬送することにより、露光光が照射される露光位置に画像を順次位置決めしていた。しかし、画面検出センサから露光位置までの距離は個々のフィルムキャリアによって機差があるため、画像が正確な露光位置に位置決めされない場合があり、この場合、画像を位置決めする際の写真フィルムの搬送量を補正する必要がある。
【０００３】
従来、写真フィルムの搬送量を補正する方法としては、写真フィルムの画像が露光位置に位置決めされるようにフィルムキャリアが写真フィルムを一定量搬送した際の画像位置をオペレータが直接目視し、露光位置に対する画像位置の位置ずれ量を測定し、測定した位置ずれ量を補正量として数値で入力して、該入力された補正量だけ写真フィルムの搬送量を補正するといった方法がとられていた。
【０００４】
【発明が解決しようとする課題】
しかしながら、写真焼付装置の機種によっては、フィルムキャリアの上方に露光光を照射するための部材等がフィルムキャリアに近接して配設されているものがある。この種の写真焼付装置では、写真フィルムの画像の露光位置への位置決めの状態を直に目視で確認することができないため、先に述べた補正方法では搬送量の補正が行えない、という問題点があった。
【０００５】
本発明は上記問題点を解消するために成されたものであり、フィルムの画像の露光位置への位置決めの状態を直に目視で確認することができない場合であっても、フィルムの搬送量を的確に求めることができるフィルム画像位置決め方法及びフィルムキャリアを提供することを目的とする。
【０００６】
【課題を解決するための手段】
上記目的を達成するために、請求項１記載のフィルム画像位置決め方法は、画像が記録されたフィルムを搬送し、前記画像の大きさに対応するサイズの開口部が形成されたマスクの前記開口部に前記画像を位置決めするフィルム画像位置決め方法であって、グレー枠の開口率を１００％より大きくして前記マスクの配設位置を撮像し、撮像結果を表示手段に表示しながら、前記表示手段に表示された前記画像の一端が前記開口部の一端と略同一の位置になるように前記フィルムの位置を調整し、前記表示手段に表示された前記画像の他端が前記開口部の他端と略同一の位置になるように前記フィルムの位置を調整し、前記画像の一端が前記開口部の一端と略同一の位置になるように調整したときのフィルムの第１の位置及び前記画像の他端が前記開口部の他端と略同一の位置になるように調整したときのフィルムの第２の位置に基づき、前記画像を前記開口部に位置決めする際の搬送量を求める。
【０００７】
また、請求項４記載のフィルムキャリアは、画像が記録されたフィルムを搬送する搬送手段と、グレー枠の開口率を１００％より大きくして前記画像の大きさに対応するサイズの開口部が形成されたマスクの配設位置を撮像し、前記画像と前記開口部とを表示手段に表示する撮像表示制御手段と、前記表示手段に表示された前記画像の一端が前記開口部の一端と略同一の位置になるように前記フィルムの位置の調整を指示する第１の指示情報と、前記表示手段に表示された前記画像の他端が前記開口部の他端と略同一の位置になるように前記フィルムの位置の調整を指示する第２の指示情報と、を入力するための入力手段と、前記開口部における前記フィルムの位置を調整するように前記搬送手段を制御する調整手段と、前記画像の一端が前記開口部の一端と略同一の位置になるように調整されたときのフィルムの位置及び前記画像の他端が前記開口部の他端と略同一の位置になるように調整されたときのフィルムの位置に基づき、前記搬送手段が前記画像を前記開口部に位置決めする際の搬送量を求める搬送量決定手段と、を有している。
【０００８】
請求項１に記載のフィルム画像位置決め方法及び請求項４に記載のフィルムキャリアによれば、フィルムに記録された画像の大きさに対応するサイズの開口部が形成されたマスクの配設位置が表示手段に表示される。
【０００９】
その後、表示手段に表示された画像の一端が開口部の一端と略同一の位置になるように調整されたときのフィルムの位置及び画像の他端が開口部の他端と略同一の位置になるように調整されたときのフィルムの位置に基づき画像を開口部に位置決めする際の搬送量が求められる。
【００１０】
このように、請求項１に記載のフィルム画像位置決め方法及び請求項４に記載のフィルムキャリアによれば、表示手段に表示された画像及びマスクを参照して、画像の一端及び他端を各々開口部の一端及び他端と略同一位置となるように調整し、各調整後のフィルムの位置に基いて画像を開口部に位置決めする際の搬送量が求められるので、露光位置に位置決めされたフィルムの画像の露光位置への位置決めの状態を直に目視で確認できない場合であっても、フィルムの搬送量を的確に求めることができると共に、開口部のサイズが画像のサイズより小さい場合であっても、画像の中心部の所定領域を感光材料に焼付けることができる。この際求められるフィルムの搬送量は、画像を開口部に位置決めする際の搬送量を直接求めてもよいし、画像を開口部に位置決めする際の搬送量の補正量として求めてもよい。
【００１１】
なお、フィルムに記録されている画像を検出した結果に基づいて画像を既知の位置に位置させ、第１の位置及び第２の位置を、前記既知の位置からのフィルム搬送量として求めることが好ましい。
【００１２】
また、表示手段に表示する画像はポジ画像であることが好ましい。
【００１３】
【発明の実施の形態】
以下、図面を参照して本発明の実施の形態を詳細に説明する。
【００１４】
図１及び図２には本実施の形態に係るプリンタプロセッサ１０の概略構成が示されている。プリンタプロセッサ１０は写真焼付部１２を備えている。写真焼付部１２には印画紙Ｐが収納されたペーパマガジン１４が装填されるようになっている。
【００１５】
ペーパマガジン１４から引き出される印画紙Ｐの搬送路上には、カッタ２２が配設され、さらに下流側には支持台４６が配置されている。支持台４６とカッタ２２との間には、無端ベルト４４が巻き掛けられた巻掛ローラ５２が配置されている。また、巻掛ローラ５２の上側には、巻掛ローラ５２との間で無端ベルト４４を挟持するニップローラ５４が配置されている。
【００１６】
支持台４６の印画紙搬送方向下流側には、無端ベルト４４が巻き掛けられる案内ローラ５６が位置している。案内ローラ５６に隣接した位置には、下面側が巻掛ローラ５２上面側とほぼ同一の高さとなるように押さえローラ５８が配置されており、無端ベルト４４は押さえローラ５８によって外周が押圧されている。更に、無端ベルト４４は、案内ローラ５６の下側でテンションローラ６２へ巻き掛けられており、図示しないモータの駆動力が伝達されることによって図１の時計回り方向に回転される。
【００１７】
支持台４６上を移動する無端ベルト４４の上部には、イーゼル装置６４が設けられており、縁有画像を印画紙Ｐ上に焼き付ける場合に、このイーゼル装置６４内の図示しない可動片が移動し印画紙Ｐの周囲を覆うようになっている。
【００１８】
図２にも示すように、写真焼付部１２の上部には作業テーブル１１が形成されており、その手前側（図１における左側）にはオペレータにより各種情報を入力する入力手段としてのキーボード１８６が配置されている。
【００１９】
また、作業テーブル１１の奥側（図１における右側）には光源装置９６が配置されている。光源装置９６には、露光ランプ２５及び複数の調光フィルタを備えた調光フィルタ部２４が設けられており、更に光源装置９６には、露光ランプ２５から射出され調光フィルタ部２４を透過した露光光を拡散し、かつ露光光軸を作業テーブル１１に対して垂直に略９０°屈曲させる拡散ボックス２８が隣接配置されている。屈曲された露光光は、作業テーブル１１の上面に設置されるフィルムキャリアとしてのネガキャリア３０上を通過する。
【００２０】
なお、ネガキャリア３０において露光光が通過する位置は露光位置と称されている。露光ランプ２５は、ランプ照度の安定化等を目的としてプリンタプロセッサ１０の電源が投入されている間は常に点灯されており、露光位置にネガフィルムＮが位置していれば、このネガフィルムＮに露光ランプ２５から射出され調光フィルタ部２４を透過した露光光が照射されることになる。
【００２１】
また、写真焼付部１２内には、測光ユニット４０が配置されている。測光ユニット４０は、ネガフィルムＮの濃度を測定する濃度測定器及びネガフィルムＮを撮像するＣＣＤイメージセンサ（何れも図示省略）を備えている。後述するコントローラ１８２は、濃度測定器から出力されたネガフィルムＮの濃度を表すデータに基づいて、焼付露光時の露光条件の補正量を演算する。また、ＣＣＤイメージセンサは、撮像範囲が後述するマスクの窓部に相当する範囲よりも大きくされている。ＣＣＤイメージセンサから出力された撮像データは、コントローラ１８２に出力され、コントローラ１８２は、入力された撮像データに基いてネガフィルムＮ及びネガキャリア３０の露光位置に配置されているマスクの窓部を表示手段としてのモニタ３２に表示させる。測光ユニット４０の下部にはズームレンズ３８が配設され、ズームレンズ３８とイーゼル装置６４の間の光路には、ブラックシャッタ４１が設けられている。
【００２２】
上記構成において、写真焼付部１２ではペーパマガジン１４から送り出された印画紙Ｐを、カッタ２２で所定長さに切断し、露光光の光軸Ｓ上にある支持台４６へ位置決めして、ネガフィルムＮに記録された画像を焼き付けるようになっている。画像の焼付けが終了した印画紙Ｐは、複数対のローラによって構成される搬送路６０を介して、発色現像、漂白定着、水洗及び乾燥の各処理を行うプロセッサ部７２へ搬送される。
【００２３】
プロセッサ部７２には発色現像槽７４、漂白定着槽７６、水洗槽７８が設けられており、各槽には各々現像液、漂白定着液、水洗水が貯留されている。印画紙Ｐは各槽内で略Ｕ字型に搬送され、各槽に貯留されている処理液に浸漬され、これにより印画紙Ｐに対し発色現像、漂白定着及び水洗の各処理が行われる。水洗処理された印画紙Ｐは乾燥部８０へ搬送され、チャンバ８２から送風される乾燥風を印画紙Ｐへ吹付けることにより乾燥される。
【００２４】
乾燥部８０に対して印画紙Ｐの搬送方向下流側には、複数対のローラによって構成される搬送路８４が配設されており、乾燥処理が終了して乾燥部８０から排出された印画紙Ｐは、これら複数対のローラにそれぞれ挟持されてプリンタプロセッサ１０の外部へ排出され、積み重ねられる。なお、露光条件の設定、管理等を行う際には、乾燥部８０における乾燥処理が終了した印画紙Ｐを乾燥部８０の上方に配設された濃度計８５に向けて搬送し、印画紙Ｐに焼付けされた画像濃度を濃度計８５によって測定する。
【００２５】
次にネガキャリア３０について説明する。図３及び図４に示すように、ネガキャリア３０には、ベース３１に対して開閉可能なカバー１１２が取り付けられている。ベース３１にはネガフィルム通過部３０Ａが形成されており、ネガフィルム通過部３０Ａの中央部近傍（露光位置）には矩形状の貫通孔に対応してマスク（アンダーネガマスクともいう）１１８が取付けられている。
【００２６】
一方、カバー１１２の回転軸近傍には、ベース３１に対してカバー１１２と同様に回動可能に取り付けられるホルダ１１４が設けられ、圧着板（アッパーネガマスクともいう）１１６が装着されている。前記マスク１１８及び圧着板１１６には、画像コマに対応する開口部としての窓部１１９Ａ及び窓部１１９Ｂが形成されている。前述の露光光はマスク１１６、１１８に照射され、窓部１１９Ａ及び窓部１１９Ｂを通過する。
【００２７】
アッパーネガマスク１１６は、カバー１１２の閉止状態で、アンダーネガマスク１１８に対してネガフィルムＮが搬送可能な程度の隙間を持って配置されるようになっており、この状態でソレノイド１１７が通電されることにより、アッパーネガマスク１１６がソレノイド１１７による磁力でアンダーネガマスク１１８に接近する方向へ移動され、ネガフィルムＮを所定の挟持圧で挟持するようになっている。
【００２８】
ネガフィルム通過部３０Ａにおけるマスク１１８よりもネガフィルム搬送方向上流側には、３本の駆動ローラ１３２、１３４、１３６が、それぞれ回転可能に支持されて配置されている。また、マスク１１８よりもネガフィルム搬送方向下流側には、駆動ローラ１３８が、回転可能に配置されている。図４に示すように、このネガキャリア３０はモータ１５２を内蔵しており、モータ１５２の駆動軸にはプーリ１５４を介してタイミングベルト１５６が巻き掛けられている。タイミングベルト１５６は、前記駆動ローラ１３２、１３４、１３６、１３８に取り付けられたプーリ１４０Ｃにも巻き掛けられ、モータ１５２の駆動力によって駆動ローラ１３２、１３４、１３６、１３８が回転する構成となっている。
【００２９】
カバー１１２には、これらの駆動ローラ１３２、１３４、１３６、１３８と対応するように、従動ローラ１４２、１４４、１４６、１４８が回転可能に取付けられており、カバー１１２の閉止時には、ネガフィルムＮは駆動ローラ１３２、１３４、１３６、１３８と、従動ローラ１４２、１４４、１４６、１４８と、で挟持され、この結果、ネガフィルムＮはネガフィルム通過部３０Ａに沿って搬送される。
【００３０】
図３に示すように、ネガフィルム通過部３０Ａにおける駆動ローラ１３２よりもネガフィルム搬送方向上流側には、ネガフィルムＮの先端及び後端を検出するための光センサ１７２が配置されている。また、駆動ローラ１３２と１３４との間には、複数本のネガフィルムＮを縦に接続して１本のネガフィルムとする際に用いられるスプライシングテープを検出するためのスプライスセンサ１７４が配置されている。スプライスセンサ１７４のネガフィルム搬送方向下流側には、画面検出センサ１７６が配置されている。
【００３１】
これらのセンサ１７２、１７４、１７６は、前述のモータ１５２と共にそれぞれコントローラ１８２に接続されている。コントローラ１８２は、ＣＰＵ１８２Ａ、ＲＯＭ１８２Ｂ、ＲＡＭ１８２Ｃ、入力ポート１８２Ｄ、出力ポート１８２Ｅを備えており、これらはバス１８２Ｆを介して互いに接続されている。前述のセンサ１７２、１７４、１７６は入力ポート１８２Ｄに接続されており、モータ１５２はドライバ１８４Ａを介して出力ポート１８２Ｅに接続されている。
【００３２】
また入力ポート１８２Ｄには、オペレータが各種の指示を与えるためのキーボード１８６が接続されている。キーボード１８６には、オペレータがモニタ３２に表示されたネガフィルムＮ上の画像の左方向への移動を指示するための左移動キー１８６Ａ、右方向への移動を指示するための右移動キー１８６Ｂ、画像位置調整の終了を指示するための調整終了キー１８６Ｃ、及び各種の数値情報を入力するためのテンキー１８６Ｄやその他のキーが設けられている。さらに入力ポート１８２Ｄには測光ユニット４０が接続されており、出力ポート１８２Ｅにはドライバ１８４Ｂを介してモニタ３２が接続されている。
【００３３】
次に本実施の形態による作用として、最初にプリンタプロセッサ１０の全体の処理の流れを説明する。ネガフィルムＮがネガキャリア３０のネガフィルム搬送部３０Ａに挿入され、光センサ１７２によってネガフィルムＮの先端部が検出されると、モータ１５２が駆動を開始して、駆動ローラ１３２、１３４、１３６、１３８が回転される。このとき、従動ローラ１４２、１４４、１４６、１４８との間にネガフィルムＮが挟持されているため、ネガフィルムＮはフィルム通過部３０Ａに沿って搬送される。
【００３４】
次にネガフィルムＮに記録された画像が、後述する補正量設定処理により設定された補正量に基いて露光位置に位置決めされると、光源装置９６からの露光光が前記位置決めされた画像に照射され、画像を透過した光が予め支持台４６上に位置決めされた印画紙Ｐに照射されることにより、印画紙Ｐに画像が焼付露光される。焼付露光が終了すると、ネガフィルムＮは１コマ分搬送されると共に次の印画紙Ｐが支持台４６上に位置決めされることにより、焼付処理が繰り返される。
【００３５】
焼付露光された印画紙Ｐは、搬送路６０を通過して、プロセッサ部７２へと送り込まれ、まず、発色現像槽７４内を略Ｕ字型に搬送され発色現像処理され、次いで漂白定着槽７６、水洗槽７８内をそれぞれ略Ｕ字型に搬送され漂白定着処理、水洗処理され、乾燥部８０へ搬送される。乾燥部８０から排出された印画紙Ｐは、複数対のローラにそれぞれ挟持されてプリンタプロセッサ１０の外部へ排出され、積み重ねられる。
【００３６】
次に図５のフローチャートを参照し、コントローラ１８２によるネガフィルムＮの搬送量の補正量設定処理について説明する。ステップ２００ではネガキャリア３０へのネガフィルムＮのセットが完了したか否か判定する。ネガキャリア３０のネガフィルム搬送部３０ＡにネガフィルムＮが挿入され、ネガフィルムＮの先端が光センサ１７２で検出された後にモータ１５２を若干駆動し、駆動ローラ１３２と従動ローラ１４２との間にネガフィルムＮの先端が挟持された状態になるとステップ２００の判定が肯定される。
【００３７】
ステップ２００の判定が肯定されると、次のステップ２０２ではモータ１５２の駆動を継続し、ネガフィルムＮを順方向に搬送する。
【００３８】
ネガフィルムＮの搬送が開始されると、ステップ２０４では画面検出センサ１７６によってネガフィルムＮに記録された画像のネガフィルム搬送方向前側のエッジの検出待ちが行われる。ネガフィルムでは、一般に画像が露光記録された部分の濃度は未露光部分（素抜け部）の濃度よりも明らかに高くなるので、画面検出センサ１７６によって検出されるネガフィルムＮの濃度が急激に高くなったところが画像の前側のエッジであるとして検出することができる。
【００３９】
ステップ２０４の判定が肯定された場合には、ステップ２０６で画像のエッジが検出されてから、ネガフィルムＮを一定量ＭＦ（画面検出センサ１７６配設部位に前側のエッジが位置している画像を所定の露光位置に位置決めするための搬送量）だけ搬送したか否か判定する。
【００４０】
画像の前側のエッジを検出してから前記一定量ＭＦだけ搬送すると、画像が露光位置に到達したと判断し、ステップ２０８でネガフィルムＮの搬送を停止する。
【００４１】
ネガフィルムＮの搬送が停止されると、ステップ２１０では、測光ユニット４０のＣＣＤイメージセンサから逐次入力される撮像データに基づき、図６（Ａ）に示すように、露光位置に位置決めされたネガフィルムＮの画像１２２及びマスク１１８の窓部１１９Ａのポジ画像のモニタ３２への表示を開始する。この際、通常の画像焼付時において窓部１１９Ａの部分をマスクして、焼付ける画像のみをモニタ３２に表示するようにしているグレー枠の開口率を１００％より大きくし、モニタ３２に窓部１１９Ａも表示されるようにする。
【００４２】
画面検出センサ１７６から露光位置までの距離は個々のネガキャリア毎に機差があるので、例として図６（Ａ）に示すように、画像１２２は、窓部１１９Ａの水平方向中心には位置しておらず、画像１２２の左右端外側と窓部１１９Ａとの間には各々幅の異なるネガフィルムＮのベース１２３が存在する場合がある。以下では、ステップ２０６の判定が肯定される迄の間のネガフィルムＮの搬送により、ネガフィルムＮが図６（Ａ）に示すように位置決めされた場合を例に説明する。なお、これ以降、モニタ３２には測光ユニット４０のＣＣＤイメージセンサから逐次入力される撮像データに基づき、その時点における画像１２２及び窓部１１９Ａのポジ画像がリアルタイムに表示される。従って、オペレータはモニタ３２を参照することにより、参照時点の画像１２２及び窓部１１９Ａの状態を確認することができる。本ステップ２１０が本発明の撮像表示制御手段に相当する。
【００４３】
次のステップ２１４ではオペレータによるキーボード１８６の左移動キー１８６Ａ、右移動キー１８６Ｂ、及び調整終了キー１８６Ｃの何れかのキーの入力待ちが行われる。この際、オペレータはモニタ３２を参照し、画像１２２の左端が窓部１１９Ａの左端より右側に位置している場合は左移動キー１８６Ａを、左側に位置している場合は右移動キー１８６Ｂを、略一致している場合は調整終了キー１８６Ｃを各々押下する。コントローラ１８２では、キーボード１８６の押下状態を監視しており、押下されたキーが左移動キー１８６Ａ、右移動キー１８６Ｂ及び調整終了キー１８６Ｃの何れかである場合にのみ、ステップ２１４の判断が肯定され、ステップ２１６へ移行する。
【００４４】
次のステップ２１６では、ステップ２１４において押下されたキーが調整終了キー１８６Ｃであるか否かの判断が行われ、調整終了キー１８６Ｃでない場合は、左移動キー１８６Ａ及び右移動キー１８６Ｂの何れか一方が押下されたとみなしてステップ２１８へ移行する。
【００４５】
ステップ２１８では、ステップ２１４において押下されたキーが左移動キー１８６Ａである場合には、モニタ３２に表示されている画像１２２が左方向へ所定量ＭＸだけ移動するようにモータ１５２を駆動し、押下されたキーが右移動キー１８６Ｂである場合には、モニタ３２に表示されている画像１２２が右方向へ所定量ＭＸだけ移動するようにモータ１５２を駆動する。この際、コントローラ１８２は、ネガフィルムＮを左方向に所定量ＭＸ移動する毎に、該移動に要するモータ１５２の駆動信号のパルス数だけ予めクリアされている図示しないカウンタをカウントダウンし、ネガフィルムＮを右方向に所定量ＭＸ移動する毎に、該移動に要するモータ１５２の駆動信号のパルス数だけ前記カウンタをカウントアップする。従って、前記カウンタの値は画像１２２の移動に連動して増減することになる。なお、画像１２２を移動させる際の所定量ＭＸは、モニタ３２に表示された画像１２２の移動がオペレータによって目視確認できる最小限の距離とする。
【００４６】
一方、ステップ２１４において入力されたキーが調整終了キー１８６Ｃである場合は画像１２２の左端が窓部１１９Ａの左端に略一致した場合であり、このときステップ２１６の判断は肯定されてステップ２２０へ移行し、ステップ２０８において位置決めされた時点での画像１２２の左端位置Ｌ１が現在の画像１２２の左端位置Ｌ１’まで移動した際の画像１２２の搬送量ＬＭ（図６（Ｂ）参照）をＲＡＭ１８２Ｃの所定領域に記憶する。この際の搬送量ＬＭは、ステップ２１８において画像１２２の移動に連動して増減されたカウンタの値（モータ１５２の駆動信号のパルス数）に対して、単位パルスでの搬送距離を乗算して得ることができる。
【００４７】
搬送量ＬＭが記憶されると、次のステップ２２２では、オペレータによるキーボード１８６の左移動キー１８６Ａ、右移動キー１８６Ｂ、及び調整終了キー１８６Ｃの何れかのキーの入力待ちが行われる。この際、オペレータはモニタ３２を参照し、画像１２２の右端が窓部１１９Ａの右端より右側に位置している場合は左移動キー１８６Ａを、左側に位置している場合は右移動キー１８６Ｂを、略一致している場合は調整終了キー１８６Ｃを各々押下する。コントローラ１８２では、キーボード１８６の押下状態を監視しており、押下されたキーが左移動キー１８６Ａ、右移動キー１８６Ｂ及び調整終了キー１８６Ｃの何れかである場合にのみ、ステップ２２２の判断が肯定され、ステップ２２４へ移行する。
【００４８】
次のステップ２２４では、ステップ２２２において押下されたキーが調整終了キー１８６Ｃであるか否かの判断が行われ、調整終了キー１８６Ｃでない場合は、左移動キー１８６Ａ及び右移動キー１８６Ｂの何れか一方が押下されたとみなしてステップ２２６へ移行する。
【００４９】
ステップ２２６では、ステップ２２２において押下されたキーが左移動キー１８６Ａである場合には、モニタ３２に表示されている画像１２２が左方向へ所定量ＭＸだけ移動するようにモータ１５２を駆動し、押下されたキーが右移動キー１８６Ｂである場合には、モニタ３２に表示されている画像１２２が右方向へ所定量ＭＸだけ移動するようにモータ１５２を駆動する。この際、コントローラ１８２は、ネガフィルムＮを左方向に所定量ＭＸ移動する毎に、該移動に要するモータ１５２の駆動信号のパルス数だけ予めクリアされている図示しないカウンタをカウントダウンし、ネガフィルムＮを右方向に所定量ＭＸ移動する毎に、該移動に要するモータ１５２の駆動信号のパルス数だけ前記カウンタをカウントアップする。従って、前記カウンタの値は画像１２２の移動に連動して増減することになる。
【００５０】
一方、ステップ２２２において入力されたキーが調整終了キー１８６Ｃである場合は画像１２２の右端が窓部１１９Ａの右端に略一致した場合であり、このときステップ２２４の判断は肯定されてステップ２２８へ移行し、ステップ２０８において位置決めされた時点での画像１２２の右端位置Ｒ１（図６（Ａ）参照）が現在の画像１２２の右端位置Ｒ１’まで移動した際の画像１２２の搬送量ＲＭ（図６（Ｃ）参照）をＲＡＭ１８２Ｃの所定領域に記憶する。
【００５１】
この際の搬送量ＲＭは、ステップ２２６において画像１２２の移動に連動して増減されたカウンタの値（モータ１５２の駆動信号のパルス数）に対して、単位パルスでの搬送距離を乗算して得られる値（画像１２２の左端が窓部１１９Ａの左端に位置合わせされた状態の画像１２２の位置から現在の画像１２２の位置までの搬送量）から搬送量ＬＭを減算することにより得ることができる。なお、以上説明したステップ２１４乃至ステップ２１８及びステップ２２２乃至ステップ２２６が本発明の調整手段に相当する。
【００５２】
次のステップ２３０では、ネガキャリア３０によるネガフィルムＮの一定量ＭＦ搬送時の搬送量の補正量を演算する。この際、まず（１）式を用いて搬送量補正後の画像１２２の中心位置Ｃを求め、次に（２）式を用いて搬送量の補正量Ａｄｊを導出する（図６（Ｃ）参照）。
【００５３】
Ｃ＝｛（Ｃ０＋ＬＭ）＋（Ｃ０＋ＲＭ）｝／２            （１）
Ａｄｊ＝Ｃ０−Ｃ                                      （２）
ここで、ＬＭはステップ２２０において記憶された搬送量、ＲＭはステップ２２８において記憶された搬送量、Ｃ０はステップ２０４乃至ステップ２０８によりネガフィルムＮを一定量ＭＦだけ搬送して位置決めした際の画像１２２の中心位置（図６（Ａ）も参照）である。なお、中心位置Ｃ０は、ステップ２０６における一定量ＭＦから画像１２２の搬送方向長さの半分を減算することにより画面検出センサ１７６の配設位置からの距離として得ることができるものであり、ＲＯＭ１８２Ｂに予め記憶されているものである。
【００５４】
（１）式により求められる中心位置Ｃは窓部１１９Ａの中心位置と略一致した位置であるので、（２）式により求められる補正量Ａｄｊは、ネガキャリア３０の一定量ＭＦの搬送により位置決めされた画像１２２の中心位置Ｃ０と、実際のマスク１１８の窓部１１９Ａの中心位置Ｃとのずれの大きさとして求められる。本ステップ２３０が本発明の搬送量決定手段に相当する。
【００５５】
補正量Ａｄｊが求められると、ステップ２３２では、補正量Ａｄｊをモニタ３２の図示しない所定位置（画像１２２及び窓部１１９Ａの表示位置以外の位置）に表示し、ステップ２３４では、搬送量の補正を行なうか否かの入力待ちが行われる。この際、オペレータはステップ２３２においてモニタ３２に表示された補正量の適否を判断し、該補正量による搬送量の補正を実行する場合はキーボード１８６の図示しない補正を実行する旨を指示するキーを押下し、補正を実行しない場合にはキーボード１８６の図示しない補正を実行しない旨を指示するキーを押下する。コントローラ１８２では、キーボード１８６の押下状態を監視しており、何れかのキーの押下があった際に肯定判定され、ステップ２３６へ移行する。
【００５６】
オペレータによるキーの押下があると、次のステップ２３６では、押下されたキーが補正を実行する旨を指示するキーであるか否かが判定され、補正を実行する旨を指示するキーである場合には、ステップ２３８へ移行し、補正量ＡｄｊをＲＡＭ１８２Ｃの所定領域に記憶した後、本補正量設定処理を終了する。これ以降、ネガキャリア３０においてネガフィルムＮを搬送してネガフィルムＮの画像を露光位置に位置決めする際には、ＲＡＭ１８２Ｃの所定領域に記憶された補正量Ａｄｊを参照して位置決め補正を行う。一方、押下されたキーが補正を実行する旨を指示するキーでない場合にはステップ２３８の処理は行わずに、本補正量設定処理を終了する。
【００５７】
図６（Ｄ）は、本補正量設定処理において得られた補正量Ａｄｊを適用してネガフィルムＮの画像の位置決めを行った際の画像１２２及び窓部１１９Ａのモニタ３２の表示状態を示している。同図に示すように画像１２２の左右両端の外側かつ窓部１１９Ａの内側には、各々幅の等しいベース１２３が存在しており、画像１２２の中心は窓部１１９Ａの中心Ｃに位置するようになる。
【００５８】
以上、詳細に説明したように、本実施の形態に係るフィルム画像位置決め方法は、モニタ３２に表示された画像１２２及び窓部１１９Ａを参照して、画像１２２の左端及び右端を各々窓部１１９Ａの左端及び右端と略同一位置となるように調整し、該調整の際に得られる搬送量ＬＭ及び搬送量ＲＭに基いてネガキャリア３０による位置決めの際の補正量を決定することができるので、ネガキャリア３０によって露光位置に位置決めされたネガフィルムＮの画像１２２の露光位置への位置決めの状態を直に目視で確認できない場合であっても、ネガフィルムＮの搬送量を的確に補正することができる。
【００５９】
なお、本実施の形態では、まず画像１２２の左端を窓部１１９Ａの左端に位置合わせして搬送量ＬＭを記憶した後、次に画像１２２の右端を窓部１１９Ａの右端に位置合わせして搬送量ＲＭを記憶する場合について説明したが、本発明はこれに限定されるものではなく、右端の位置合わせ及び搬送量ＲＭの記憶を行った後に左端の位置合わせ及び搬送量ＬＭの記憶を行うようにしてもよいことは言うまでもない。
【００６０】
また、本実施の形態では、画像１２２の左端及び右端を各々窓部１１９Ａの左端及び右端に位置合わせして、画像１２２を窓部１１９Ａの水平方向略中心に位置させる場合について説明したが、本発明はこれに限定されるものではなく、画像１２２の上端及び下端を各々窓部１１９Ａの上端及び下端に位置合わせして、画像１２２を窓部１１９Ａの垂直方向略中心に位置させる場合に適用することができる。
【００６１】
また、本実施の形態では、窓部１１９Ａのサイズが画像１２２のサイズより大きい場合について説明したが、本発明はこれに限定されるものではなく、窓部１１９Ａのサイズが画像１２２のサイズよりも小さい場合にも本発明は適用することができる。この場合、印画紙Ｐに焼付けられる画像は、画像１２２の全体ではなく中心部分の所定領域となる。
【００６２】
また、本実施の形態では、最終的にオペレータの判断に基いてネガフィルムＮの搬送量の補正を行うか否かを決定する場合について説明したが、本発明はこれに限定されるものではなく、オペレータによる判断を行わずに自動的に搬送量の補正を行うようにしてもよい。
【００６３】
また、本実施の形態では、フィルムがネガフィルムである場合について説明したが、本発明はこれに限定されるものではなく、ポジフィルムであってもよい。
【００６４】
さらに、本実施の形態では、画像１２２、窓部１１９Ａ及び補正量Ａｄｊのみをモニタ３２に表示する場合について説明したが、本発明はこれに限定されるものではなく、例えば図７に示すようにモニタ３２の空き領域に各種情報を表示するようにしてもよい。同図に示すように、作業内容表示部１００にはオペレータの作業内容を表示し、作業手順表示部１０２にはオペレータの作業手順を表示している。このように各種情報として作業内容及び作業手順をモニタ３２に表示した場合には、オペレータが行うべき作業を明確にすることができるので、作業時間を短縮することができると共に誤作業を防止することができる。
【００６５】
【発明の効果】
以上説明したように、本発明によれば、表示手段に表示された画像及びマスクを参照して、画像の一端及び他端を各々開口部の一端及び他端と略同一位置となるように調整し、各調整後のフィルムの位置に基いて画像を開口部に位置決めする際の搬送量が求められるので、露光位置に位置決めされたフィルムの画像の露光位置への位置決めの状態を直に目視で確認できない場合であっても、フィルムの搬送量を的確に求めることができると共に、開口部のサイズが画像のサイズより小さい場合であっても、画像の中心部の所定領域を感光材料に焼付けることができる、という効果を有する。
【図面の簡単な説明】
【図１】本発明の実施の形態に係るプリンタプロセッサの概略構成図である。
【図２】本発明の実施の形態に係るプリンタプロセッサの斜視図である。
【図３】本発明の実施の形態に係るネガキャリアの斜視図である。
【図４】図３のＩＶ−ＩＶ線に沿ったネガキャリアの断面、及びコントローラの概略構成を示す該略図である。
【図５】本発明の実施の形態に係るネガフィルムの搬送量の補正量設定処理を説明するフローチャートである。
【図６】図５のフローチャートの各処理におけるモニタの表示状態を示す該略図であり、（Ａ）はステップ２１０終了時のモニタの表示状態を示す該略図、（Ｂ）はステップ２２０終了時のモニタの表示状態を示す該略図、（Ｃ）はステップ２２８終了時のモニタの表示状態を示す該略図、（Ｄ）はネガフィルム搬送量の補正実行時におけるモニタの表示状態を示す該略図である。
【図７】モニタ３２の表示例を示す該略図である。
【符号の説明】
１０    プリンタプロセッサ
Ｎ      ネガフィルム（フィルム）
３０    ネガキャリア（フィルムキャリア）
３２    モニタ（表示手段）
１１８    マスク
１１９Ａ  窓部（開口部）
１２２    画像
１８６    キーボード（入力手段）
【図１】
0003779407.tif 000002
【図２】
0003779407.tif 000003
【図３】
0003779407.tif 000004
【図４】
0003779407.tif 000005
【図５】
0003779407.tif 000006
【図６】
0003779407.tif 000007
【図７】
0003779407.tif 000008